(57)【特許請求の範囲】
【請求項１】
空気清浄用に用いられるフィルタにおいて、フィルタ本体を複数片に分割可能にする切り離し部をフィルタ本体に設け、フィルタ本体に枠体を重ねて取り付け、フィルタ本体の前記切り離し部に重なる部分において枠体に枠切り離し部を設けて成ることを特徴とするフィルタ。
【請求項２】
複数枚のフィルタ片を結合してフィルタ本体を形成し、フィルタ片を複数片に分割可能にする切り離し部を各フィルタ片に設けて成ることを特徴とする請求項１に記載のフィルタ。
【請求項３】
装着用の接合手段を設けて成ることを特徴とする請求項１又は２に記載のフィルタ。
【請求項４】
枠体に空気通過用の孔を設けて成ることを特徴とする請求項１乃至３のいずれかに記載のフィルタ。
【発明の詳細な説明】
【０００１】
【発明の属する技術分野】
本発明は、家庭内で発生する粉塵や臭気成分などを捕集、消臭するために、空気清浄機などに用いられるフィルタに関するものである。
【０００２】
【従来の技術】
空気清浄機などに組み込んで使用される空気清浄用のフィルタは、空気を通過させる際に、空気中の不純ガスをフィルタ中の活性炭など臭気吸着剤に吸着させて除去することによって、空気を清浄化するようにしている。そしてフィルタは空気清浄機に取り付けるに適した形状や大きさに形成されている。
【０００３】
【発明が解決しようとする課題】
しかし、空気清浄機には各種のものがあり、空気清浄機ごとに適したフィルタを作製する必要があって、フィルタの種類が多くなるという問題があった。またフィルタをシート状に形成する場合、フィルタにコシがなくなって取り扱い性が悪くなり、空気清浄機に装着する操作が困難になるという問題があった。
【０００４】
本発明は上記の点に鑑みてなされたものであり、空気清浄機の機種に合わせた大きさにして空気清浄機に装着することができ、加えてフィルタの取り扱い性を高めることができるフィルタを提供することを目的とするものである。
【０００５】
【課題を解決するための手段】
本発明は、空気清浄用に用いられるフィルタにおいて、フィルタ本体１を複数片に分割可能にする切り離し部２をフィルタ本体１に設け、フィルタ本体１に枠体３を重ねて取り付け、フィルタ本体１の前記切り離し部２に重なる部分において枠体３に枠切り離し部４を設けて成ることを特徴とするものである。
【０００６】
また請求項２の発明は、複数枚のフィルタ片５，６を結合してフィルタ本体１を形成し、フィルタ片５，６を複数片に分割可能にする切り離し部２を各フィルタ片５，６に設けて成ることを特徴とするものである。
また請求項３の発明は、装着用の接合手段８を設けて成ることを特徴とするものである。
【０００７】
また請求項４の発明は、枠体３に空気通過用の孔９を設けて成ることを特徴とするものである。
【０００８】
【発明の実施の形態】
以下、本発明の実施の形態を説明する。
図１は請求項１の発明のフィルタ本体１の一例を示すものであり、フィルタ本体１は多孔質材料等で板状に形成してある。そしてフィルタ本体１の表面（両面）には図２のようなＶ溝２ａが形成してあり、このＶ溝２ａによって切り離し部２をフィルタ本体１に設けるようにしてある。Ｖ溝２ａによる切り離し部２はフィルタ本体１に縦方向及び横方向に設けてある。
【０００９】
このフィルタ本体１では、図１（ｂ）のようにＶ溝２ａによる切り離し部２に沿ってフィルタ本体１を折り曲げることによって、フィルタ本体１を図１（ｃ）のように複数片に切り離して分割することができるものであり、空気清浄機の機種に合わせた大きさにして、空気清浄機に装着することができるものである。
【００１０】
図３及び図４は請求項１の発明のフィルタ本体１の他の一例を示すものであり、不織布１５の上に複数箇所において粒状の臭気吸着剤１６を置き、この不織布１５の上に他の不織布１７を重ねると共に臭気吸着剤１６を囲む箇所で不織布１５，１７を接着することによって、２枚の不織布１５，１７の間に臭気吸着剤１６を挟み込んでフィルタ本体１を作製するようにしてある。この臭気吸着剤１６としては、活性炭や、あるいは臭気物質を分解する薬剤を活性炭等の担持体に担持させたものを用いることができる。そして不織布１５，１７には臭気吸着剤１６を囲むように不織布１５，１７を接着した箇所においてミシン目２ｂを入れて、切り離し部２をフィルタ本体１に設けるようにしてある。ミシン目２ｂによる切り離し部２はフィルタ本体１に縦方向及び横方向に設けてある。
【００１１】
このシート状のフィルタ本体１では、ミシン目２ｂによる切り離し部２に沿ってフィルタ本体１を切断することによって、フィルタ本体１を複数片に切り離して分割することができるものであり、空気清浄機の機種に合わせた大きさにして、空気清浄機に装着することができるものである。
【００１２】
図５は請求項１の発明の実施の形態の一例を示すものであり、シート状のフィルタ本体１の片面に枠体３を貼り付けて取り付けることによって、フィルタＡを作製するようにしてある。図３，４のような不織布１５，１７でシート状に形成されるフィルタ本体１はコシがないので、フィルタ本体１に枠体３を取り付けることによって、フィルタＡの取り扱いが容易になるようにしたものである。枠体３は樹脂成形品や紙、段ボールなど芯になるようなコシの強い材質のもので形成することができるものであり、枠体３の枠はフィルタ本体１にミシン目２ｂなどで設けた切り離し部２の上に重ねられるようになるので、この切り離し部２に沿って枠切り離し部４を枠体３の枠に設けるようにしてある。この枠切り離し部４は図６に示すようなＶ溝４ａで形成することができるものである。
【００１３】
このものでは、フィルタ本体１の切り離し部２と枠体３の枠切り離し部４をともに切断することによって、フィルタ本体１と枠体３とを貼り合わせた状態のまま、分割することができるものであり、空気清浄機の機種に合わせた大きさにして、空気清浄機に装着することができるものである。
図７は請求項３の発明の実施の形態の一例を示すものであり、複数枚（図７では２枚）のフィルタ片５，６を枠体３に貼り付けることによって結合し、複数枚のフィルタ片５，６からなるフィルタ本体１と枠体３とからフィルタＡを形成するようにしてある。各フィルタ片５，６は、例えば一方のフィルタ片５はアンモニア等の窒素系臭気を脱臭する性能の高いもの、他方のフィルタ片６はホルムアルデヒド等のホルムアルデヒド臭気を脱臭する性能の高いものなど、別の臭気成分を脱臭する種類の異なるものとして形成されるものである。そして各フィルタ片５，６にはミシン目２ｂ等で形成される切り離し部２が設けてあり、フィルタ片５に設けた切り離し部２とフィルタ片６に設けた切り離し部２が直線として連続するように、各フィルタ片５，６を配置してある。また、このフィルタ片５，６の切り離し部２に重ねられる枠体３の枠には切り離し部２に沿ってＶ溝４ａ等で形成される枠切り離し部４が設けてあり、フィルタ片５，６間の繋ぎ目は、枠体３の中央の幅広い縦枠３ａに接合するようにしてある。
【００１４】
このようにして図８（ａ）のように形成されるフィルタＡは、異なる種類の臭気成分を脱臭するフィルタ片５，６を組み合わせたものであるので、複数種の臭気成分をフィルタ片５，６でそれぞれ効率よく脱臭することできるものである。そして切り離し部２と枠切り離し部４に沿ってフィルタ片５，６と枠体３をそれぞれ切断することによって、図８（ｂ）のようにフィルタ片５，６と枠体３とを貼り合わせた状態のまま、分割することができるものであり、空気清浄機の機種に合わせた大きさにして、空気清浄機に装着することができるものである。
【００１５】
図９は請求項３の発明の実施の形態の一例を示すものであり、フィルタＡに空気清浄用の機器に装着するための接合手段８が設けてある。例えば、フィルタＡの枠体３に係合突起８ａを設け、この係合突起８ａで接合手段８を形成することができる。一方、図９（ｂ）に示すように、空気清浄用機器に取り付けられる既存フィルタ１８の周囲の枠部１９に、フィルタＡの係合突起８ａに対応して係合孔２０が設けてある。この既存フィルタ１８は空気清浄用機器に付属して空気清浄用機器に脱着自在に取り付けられる部材であり、枠部１９内に活性炭フィルタなど消臭フィルタ２１を固定して形成してある。２２は既存フィルタ１８の枠部１９に側面に設けた取っ手である。
【００１６】
そしてこのものでは図１０に示すように、既存フィルタ１８の係合孔２０にフィルタＡの係合突起８ａで形成される接合手段８を抜き外し自在に挿入係合することによって、既存フィルタ１８にフィルタＡを脱着自在に接合して取り付けることができ、既存フィルタ１８を空気清浄用機器に装着する際に、同時にフィルタＡを空気清浄用機器に取りつけることができるものである。図１１は請求項４の発明の実施の形態の他例を示すものであり、接合手段８をマジックテープと通称される係着テープ８ｂ，８ｃで形成するようにしたものであり、係着離脱自在な一対の係着テープ８ｂ，８ｃのうち、一方の係着テープ８ｂをフィルタＡの背面に、他方の係着テープ８ｃを既存フィルタ１８の枠部１９にそれぞれ接着等して取り付け、係着テープ８ｂ，８ｃの係着によって既存フィルタ１８にフィルタＡを脱着自在に接合して取り付けるようにしたものである。接合手段８としてはさらに、両面粘着テープ等を用いて形成することもできる。
【００１７】
図１２は請求項４の発明の実施の形態の一例を示すものであり、フィルタ本体１に取り付けて使用される枠体３に空気通過用の孔９が設けてある。フィルタ本体１に枠体３を取り付けてフィルタＡを形成する場合、フィルタ本体１を空気が通過する面積が枠体３の面積分小さくなって、空気通過時の圧力損失となるが、このように枠体３に空気通過用の孔９を設けることによって、枠体３の部分では空気はこの孔９を通ってフィルタ本体１を通過することができ、枠体３による空気通過時の圧力損失を低減することができるものである。この孔９の形状としては、図１２のように四角孔の他に、多角形孔や丸形孔など任意である。また枠体３をメッシュ状のもので形成し、網の目として孔９を形成するようにしてもよい。
【００１８】
【発明の効果】
上記のように本発明は、空気清浄用に用いられるフィルタにおいて、フィルタ本体を複数片に分割可能にする切り離し部をフィルタ本体に設けるようにしたので、フィルタ本体を切り離し部によって複数片に切り離して分割することができるものであり、空気清浄機の機種に合わせた大きさにして、空気清浄機に装着することができるものである。
【００１９】
また、フィルタ本体に枠体を重ねて取り付け、フィルタ本体の前記切り離し部に重なる部分において枠体に枠切り離し部を設けるようにしたので、枠体で補強してコシの強いフィルタを形成することができ、フィルタを装着する際の取り扱い性を高めることができるものであり、しかもフィルタ本体に枠体を取り付けた状態のまま、切り離し部と枠切り離し部とで切り離して分割することができるものである。
【００２０】
また請求項２の発明は、複数枚のフィルタ片を結合してフィルタ本体を形成し、フィルタ片を複数片に分割可能にする切り離し部を各フィルタ片に設けるようにしたので、異なる種類の臭気成分を脱臭するフィルタ片を組み合わせて用いることによって、複数種の臭気成分を効率よく脱臭することのできるフィルタを形成することができるものであり、また各フィルタ片を切り離し部で切り離して分割することができ、空気清浄機の機種に合わせた大きさにすることができるものである。
【００２１】
また請求項３の発明は、装着用の接合手段を設けるようにしたので、接合手段によって空気清浄用の機器への取り付けが容易になるものである。
また請求項４の発明は、枠体に空気通過用の孔を設けるようにしたので、枠体の部分では空気はこの孔を通ってフィルタ本体を通過することができるものであり、枠体による空気通過時の圧力損失を低減することができるものである。
【図面の簡単な説明】
【図１】請求項１の発明の実施の形態のフィルタ本体の一例を示すものであり、（ａ），（ｂ），（ｃ）はそれぞれ斜視図である。
【図２】請求項１の発明の実施の形態のフィルタ本体の一例の一部を拡大した斜視図である。
【図３】請求項１の発明の実施の形態のフィルタ本体の他例を示すものであり、（ａ）は分解斜視図、（ｂ）は斜視図である。
【図４】請求項１の発明の実施の形態のフィルター本体の他例を示す断面図である。
【図５】請求項１の発明の実施の形態の一例を示す分解斜視図である。
【図６】請求項１の発明の実施の形態の一例の一部を拡大した斜視図である。
【図７】請求項２の発明の実施の形態の一例を示す分解斜視図である。
【図８】請求項２の発明の実施の形態の一例を示すものであり、（ａ），（ｂ）はそれぞれ斜視図である。
【図９】請求項３の発明の実施の形態の一例を示すものであり、（ａ）はフィルタの斜視図、（ｂ）は既存フィルタの斜視図である。
【図１０】請求項３の発明の実施の形態の一例を示す斜視図である。
【図１１】請求項３の発明の実施の形態の他例を示す斜視図である。
【図１２】請求項４の発明の実施の形態の一例における枠体の一部の斜視図である。
【符号の説明】
１  フィルタ本体
２  切り離し部
３  枠体
４  枠切り離し部
５  フィルタ片
６  フィルタ片
８  接合手段
９  孔
【図１】
0003601233.tif 000002
【図２】
0003601233.tif 000003
【図３】
0003601233.tif 000004
【図４】
0003601233.tif 000005
【図５】
0003601233.tif 000006
【図６】
0003601233.tif 000007
【図７】
0003601233.tif 000008
【図８】
0003601233.tif 000009
【図９】
0003601233.tif 000010
【図１０】
0003601233.tif 000011
【図１１】
0003601233.tif 000012
【図１２】
0003601233.tif 000013